(57)【要約】【課題】爪切り動作を容易、かつ効率よく行いつつ、簡便に爪屑飛散を防止でき、衛生的に爪切りを行うことのできる爪屑飛散防止器を提供する。【解決手段】爪屑飛散防止容器１１と蓋１５とから成る爪屑飛散防止器であって、前記爪屑飛散防止容器には、５本の手指を差し込み可能な２つの差し込み口１２が設けられ、前記全ての差し込み口１２には柔軟な素材で構成され、手を差し込み可能な穴１４が設けられたカバー１３が取り付けられている。前記蓋１５は少なくとも一部が透明に形成されている。容器１１内で爪切りを行うため、爪切りを行う空間を確保でき、爪切り動作を阻害されることなく爪を切ることができる。また、５本の指全てを一度に容器１１内に挿入できるため、効率よく爪を切ることができる。【選択図】図１
0003151375.tif 000002
【実用新案登録請求の範囲】
【請求項１】
a)爪屑飛散防止容器と、b)蓋と、から成る爪屑飛散防止器であって、前記a)爪屑飛散防止容器には、それぞれ５本の手指を差し込み可能な２つの差し込み口が設けられ、前記全ての差し込み口には柔軟な素材で構成され、手を差し込み可能な穴が設けられたカバーが取り付けられ、前記b)蓋は少なくとも一部が透明に形成されていることを特徴とする爪屑飛散防止器。
【請求項２】
a)爪屑飛散防止容器と、b)蓋と、から成る爪屑飛散防止器であって、前記a)爪屑飛散防止容器には、それぞれ５本の手指、又は足指を差し込み可能な３つの差し込み口が設けられ、前記全ての差し込み口には柔軟な素材で構成され、手足を差し込み可能な穴が設けられたカバーが取り付けられ、前記b)蓋は少なくとも一部が透明に形成されていることを特徴とする爪屑飛散防止器。
【請求項３】
足底支持板と該足底支持板を支える支柱から成り、前記足底支持板は前記差し込み口の一つに引き出し可能に差し込まれ、前記支柱は前記容器外部に設置された足置き台が設けられている、請求項２に記載の爪屑飛散防止器。
【請求項４】
請求項１〜３に記載の爪屑飛散防止器において、前記蓋の透明部には拡大視用レンズが設けられていることを特徴とする爪屑飛散防止器。
【考案の詳細な説明】
【技術分野】
【０００１】
本考案は、自己や他人の手足の爪を切る際に生じる爪屑の飛散防止器に関する。
【背景技術】
【０００２】
手足の爪を切る際、切った爪屑が飛散する。これは衛生上好ましくないため、従来から切った爪屑の飛散防止を目的とした技術が知られている。
【０００３】
特許文献１には、径の異なる２つのカバー構成部材の一端部同士を嵌合し、各カバー構成部材の他端に指挿入部を設けた爪切り用カバーが記載されている。
【０００４】
しかし、特許文献１に記載のカバーでは指を１本ずつ差し込む必要があるが、１本の指の爪を切る度にカバーに再度指を差し込まなくてはならず、効率が悪い。また、足の爪や他人の爪を切る際に、指先を爪切りをしやすいような方向に向けて固定することができず、爪切りを行いにくい。
【０００５】
この点、特許文献２には、5本の指全体を差し込める爪屑飛散防止カバーが記載されており、指を1本ずつ差し込む手間が必要ない。また、カバーには手足を入れる差し込み口が3カ所設けられており、爪切りを持たない方の手で爪切りを施す自己の足、又は他人の手足の指先を所望の角度で固定できるため、容易に爪を切ることが可能になる。
【０００６】
もっとも、特許文献２に記載のカバーは自在性のある素材からなるため、カバーが自重で垂れ下がり、爪を切る動作を行うスペースが確保しにくい。この点を考慮して文献２ではカバー中央部に補強リングを取り付けているものの、爪切りを行う手足の上にカバーが垂れ下がることを完全に防止することは困難である。したがって、カバーの垂れ下がりによって爪切り動作が阻害されるという問題がある。
【先行技術文献】
【特許文献】
【０００７】
【特許文献１】実開平1-135008号公報
【特許文献２】特開2006-311994号公報
【考案の概要】
【考案が解決しようとする課題】
【０００８】
本考案は上記の問題に鑑みてなされたものであり、爪切り動作を容易、かつ効率よく行いつつ、簡便に爪屑飛散を防止でき、衛生的に爪切りを行うことのできる爪屑飛散防止器を提供することを課題とする。
【課題を解決するための手段】
【０００９】
上記課題を解決するために成された本考案の第一の態様に係る爪屑飛散防止器は、a)爪屑飛散防止容器と、b)蓋と、から成り、前記a)爪屑飛散防止容器には、それぞれ５本の手指を差し込み可能な２つの差し込み口が設けられ、前記全ての差し込み口には柔軟な素材で構成され、手を差し込み可能な穴が設けられたカバーが取り付けられ、前記b)蓋は少なくとも一部が透明に形成されていることを特徴とする。
【００１０】
上記課題を解決するために成された本考案の第二の態様に係る爪屑飛散防止器は、a)爪屑飛散防止容器と、b)蓋と、から成り、前記a)爪屑飛散防止容器には、それぞれ５本の手指、又は足指を差し込み可能な３つの差し込み口が設けられ、前記全ての差し込み口には柔軟な素材で構成され、手足を差し込み可能な穴が設けられたカバーが取り付けられ、前記b)蓋は少なくとも一部が透明に形成されていることを特徴とする。
【００１１】
上記課題を解決するために成された本考案の第三の態様に係る爪屑飛散防止器は、第二の態様に係る爪屑飛散防止器に、足底支持板と該足底支持板を支える支柱から成り、前記足底支持板は前記差し込み口の一つに引き出し可能に差し込まれ、前記支柱は前記容器外部に設置された足置き台が設けられていることを特徴とする。
【００１２】
上記課題を解決するために成された本考案の第四の態様に係る爪屑飛散防止器は、前記第一から第三の態様に係る爪屑飛散防止器において、前記蓋の透明部には拡大視用レンズが設けられていることを特徴とする。
【考案の効果】
【００１３】
本考案の第一の態様に係る爪屑飛散防止器によれば、容器内で爪切りを行うため爪切りを行う空間を確保でき、容易に爪を切ることができる。また、５本の指全てを一度に容器内に挿入できるため、効率よく爪を切ることができる。このような爪屑飛散防止器を用いると、簡便に爪屑飛散を防止でき、衛生的に爪切りを行うことが出来る。
【００１４】
本考案の第二の態様に係る爪屑飛散防止器によれば、施術者の両手と他人（被施術者）の手又は足を同時に容器内に差し込めるため、被施術者の手足を施術者が固定しながら爪切りを行うことができる。従って、他人の手足の爪を切る動作をより容易に行うことができる。また、爪切りを施される手、又は足の５本の指全てを容器内に差し込み可能であるため、効率よく爪切りを行うことができる。施術者が自己の足を容器内に差し込み、自己の足指の爪切りを行うこともできる。このように、簡便に爪屑飛散を防止でき、衛生的に爪切りを行うことができる。  
【００１５】
本考案の第三の態様に係る足置き台には、爪切りを行う足を支持する足底支持板が設けられているため、楽な姿勢で、より容易に爪切りを行うことが出来、簡便に爪屑飛散を防止することができる。
【００１６】
本考案の第四の態様に係る爪屑飛散防止器によれば、爪を切る動作を拡大視用レンズによって拡大して観察しながら行えるため、爪を切る動作をより容易に行うことができる。
【図面の簡単な説明】
【００１７】
【図１】本考案の第一の実施例に係る爪屑飛散防止器の斜視図。
【図２】本考案の第二の実施例に係る爪屑飛散防止器と足置き台の側面図。
【図３】本考案の第二の実施例に係る爪屑飛散防止器の斜視図。
【図４】本考案の第一の実施例の変形例に係る爪屑飛散防止器の斜視図。
【図５】(a)は本考案の第二の実施例の変形例に係る爪屑飛散防止器と足置き台の側面図、(b)は同爪屑飛散防止器の正面図、(c)は同爪屑飛散防止器の平面図。
【考案を実施するための形態】
【００１８】
以下、本考案を実施するための形態について、実施例を用いて説明する。
【実施例１】
【００１９】
図１は本考案の第一の実施例にかかる爪屑飛散防止器の斜視図であり、容器１１と蓋１５から成る。容器１１は円錐台形状をしており、高さが約２５〜３０ｃｍ、上部の直径が約２０ｃｍの大きさである。容器１１中段には、大人の手が自由に差し込める程度の大きさの手差し込み口１２が２個設けられており、施術者の両手を挿入することができる。
【００２０】
全ての手差し込み口１２の周囲には、爪屑飛散防止カバー１３が取り付けられている。カバー１３は布製であり、手差し込み口１２と反対の側には、手を差し込める大きさのカバー穴１４が開けられている。カバー穴１４の周囲にはゴム紐が通されており、穴１４の大きさをある程度伸縮することができる。
【００２１】
容器１１の蓋１５はヒンジ１６で容器１１に固定されている。本実施例では蓋１５は全面が透明であり、そこにはフレネルレンズが形成されている。
【００２２】
爪切りを行う者は、容器１１の蓋１５が閉まっていることを確認した上で爪切り道具を持ち、カバー１３の穴１４から容器１１の手差し込み口１２に両手を差し入れる。カバー穴１４も手差し込み口１２も、大人の手を差し込める程度の大きさであるため、爪切りを施す指を１本ずつ差し込むのではなく、５本の指を一度に容器１１内に差し込むことが出来る。
【００２３】
次に容器１１内部で爪切りを行う。容器１１内部は広いため、爪切り動作が阻害されず、容易に爪切りを行うことができる。フレネルレンズの設けられた蓋１５の上から覗きながら爪切りを行うと、爪切り動作の様子を拡大して見ることができるため、より容易、かつ安全に爪切りを行うことができる。
【００２４】
切られた爪屑は容器１１内部に落ちる。手差し込み口１２には爪屑飛散防止カバー１３が取り付けられており、カバー１３には穴１４が開けられているが、穴１４の周囲にはゴム紐が通されているため、差し込まれた手と穴１４の間には隙間ができない。従って、爪切り時に飛散する爪屑は、手差し込み口１２から容器１１の外部に飛び出ることはない。このように、両手を本容器１１内に差し込んで爪切りを行うだけで、簡便に爪屑飛散を防止でき、衛生的に爪切りを行うことができる。爪切りが終わった後には、蓋１５を開け、容器１１を傾けて中に溜まった爪屑を容易に廃棄することができる。
【００２５】
上記実施例では円錐台状の容器１１を用いたが、容器１１の形状はこれに限定されるものではない。円柱、多角柱、多角錐台、いずれの形状でもよい。大きさも上記のものに限定されないが、家庭用のバケツ程度の大きさであれば保管時や爪屑の廃棄時に扱いやすい。図１では、手差し込み口１２は円形状で容器１１中段に設けられているが、このような形状や設置場所に限定されるわけではない。例えば、図４に示すような形状にして容器上部に設けてもよい。また、爪屑飛散防止カバーの素材や形状も、上記に限定されるものではない。例えばゴム製のものとして、切り込みを設けてカバー穴１４とし、手が差し込みやすく、かつ、差し込んだ手と穴１４との間に隙間が出来ないような構造にしてもよい。
【００２６】
また、本実施例では、蓋１５の全面を透明のフレネルレンズとしているが、透明部分やフレネルレンズ面は蓋１５上面の一部に設ければよく、容器１１内部で行う爪切り動作を蓋１５の上部から観察できるような位置、大きさであればよい。また、蓋１５に設ける拡大視用レンズもフレネルレンズに限定されない。蓋１５は容器１１に固定しなくてもよく、把手をつけて開閉を容易にしてもよい。持ち運びに便利なように、容器１１本体に把手を設けてもよい。
【実施例２】
【００２７】
図２は本考案の第二の実施例にかかる爪屑飛散防止器と、それに付属される足置き台１７の側面図である。容器１１には２つの手差し込み口１２と、１つの足差し込み口２０が設けられている。容器１１の大きさは実施例１と同様である。差し込み口１２、２０の大きさは、それぞれ、大人の手、又は足が自由に差し込める程度の大きさである。各差し込み口には穴１４の開いたカバー１３が取り付けられている（図３参照）が、図２では便宜上、手差し込み口１２のカバーは図示していない。カバー１３、及びカバー穴１４の形状や材質は実施例１と同様である。
【００２８】
足置き台１７は足底支持板１８と支柱１９から成っている。足底支持板１８は足差し込み口２０に引き出し可能に差し込まれ、容器１１外部に設置された支柱１９により支えられている。足差し込み口２０は下辺が床面に水平な直線となっており、差し込まれた足底支持板１８を支持しやすい形状になっている。
【００２９】
図３は本実施例に係る爪屑飛散防止器本体の斜視図である。この図では便宜上、足置き台は図示していない。容器１１には、施術者の両手を挿入するための２個の手差し込み口１２、及び、足を挿入するための足差し込み口２０が容器１１中段に設けられている。また、差し込み口１２、２０には穴１４の開いた爪屑飛散防止カバー１３が取り付けられている。足差し込み口２０は、足置き台１７の足底支持板１８を支える役割も果たすため、足底支持板１８を支持しやすいように底辺部２１が直線で形成されている。容器１１には蓋１５がヒンジ１６で固定され、蓋１５の全面には透明なフレネルレンズが形成されている。
【００３０】
以下、自己の足指の爪を切る場合の本実施例にかかる爪屑飛散防止器の使い方を説明する。まず、容器１１内に収納された足置き台１７を容器１１内から引き出し、足底を載せやすいように設置する。足底支持板１８は、支柱１９と足差し込み口２０の底辺部２１によって支えられる。足２２を足底支持板１８の上に載せ、足指をカバー１３の穴１４から容器１１の足差し込み口２０に入れる。このとき、足指１本ずつではなく、５本の指を一度に容器内に入れることができる。蓋１５が閉まっていることを確認した上で、爪切り道具を持ち、両手を各カバー１３の穴１４から容器１１の手差し込み口１２に差し入れる。足２２が足底支持板１８で固定されているため、より安全、かつ楽な姿勢で爪切りを行うことが出来る。
【００３１】
容器１１内部で爪切りを行う。両手を容器１１内に差し入れているため、爪切りを施す足２２の指先を、爪切り道具を持っていない方の手で保持し、爪切りを行いやすい角度に固定して爪切りを行うことができる。また、容器１１内部は広いため、爪切り動作が阻害されることなく、容易に爪切りを行える。フレネルレンズの設けられた蓋１５の上から覗きながら容器１１内部で爪切りを行うと、爪切り動作の様子を拡大して見ることができるため、容易、かつ安全に爪切りを行うことができる。
【００３２】
切られた爪屑は容器１１内部に落ちる。手差し込み口１２、及び足差し込み口２０には爪屑飛散防止カバー１３が取り付けられているため、爪切り時に飛散する爪屑は、差し込み口１２、２０から容器１１の外部に飛び出ない。このように、本実施例にかかる爪屑飛散防止器を用いると、簡便に爪屑飛散を防止でき、衛生的に爪切りを行うことができる。爪切りが終わった後は、蓋１５を開け、容器１１を傾けて中に溜まった爪屑を容易に廃棄することができる。不使用時には、足底支持板１８を容器１１内部に収納してコンパクトにすることができるため、スペースを取ることなく収納することができる。
【００３３】
ここでは自己の足指の爪切りを行う場合を例に説明を行ったが、本実施例の爪屑飛散防止器は他人の足指の爪切りを行う際にも利用できる。さらに、本実施例に係る足置き台１７は、手を置くために利用することも可能であるため、他人（被施術者）の手指の爪を切る場合にも利用することができる。その場合、被施術者の手を足底支持板１８の上に置いて爪を切るため、被施術者は楽な姿勢で爪を切ってもらうことができる。
【００３４】
容器１１、差し込み口１２、２０、爪屑飛散防止カバー１３、蓋１５、拡大視用レンズなどの形状、材質、大きさ等は、上記実施例に限定されるものではなく、実施例１と同様に変更可能である。
【００３５】
なお、本実施例の変形例として、容器１１に足置き台１７の足底支持板１８を受ける台を設けることも可能である。図５は、受け台２３が容器１１内部に設けられた例を示した図であり、(a)は受け台２３を設けた本実施例の変形例に係る爪屑飛散防止器の容器１１と足置き台１７の側面図、(b)は同爪屑飛散防止器の容器１１の正面図、(c)は同平面図を示している。図５(a)〜(c)に示したように、受け台２３の上面は容器１１底面に平行であり、足差し込み口底部２１の位置で容器１１の側面に直接取り付けられている。
【００３６】
このような受け台２３を設けることで、足底支持板１８を安定して保持することができる。このような受け台２３が無い場合、足置き台１７に足を載せると、荷重が容器１１の傾斜した側面にかかり容器１１が転倒するおそれがあるが、このような受け台２３を設けることにより、荷重は受け台２３により支持されるようになり、容器１１の転倒を防止することができる。不使用時には、足底支持板１８を受け台２３上面でスライドさせて足置き台１７を容器１１内に収納し、コンパクトにすることができる。
【符号の説明】
【００３７】
１１…容器
１２…手差し込み口
１３…爪屑飛散防止カバー
１４…カバー穴
１５…蓋
１６…ヒンジ
１７…足置き台
１８…足底支持板
１９…支柱
２０…足差し込み口
２１…足差し込み口底辺部
２２…足
２３…受け台
【図１】
0003151375.tif 000003
【図２】
0003151375.tif 000004
【図３】
0003151375.tif 000005
【図４】
0003151375.tif 000006
【図５】
0003151375.tif 000007